(57)【要約】  【課題】  携帯型通信装置にコンピュータを提供するデータ処理装置と、上記携帯型通信装置とが通信不可状態でも、上記携帯型通信装置においてコンテンツデータの転送指示データを生成できる携帯型通信装置を提供する。【解決手段】  制御部１８は、ＰＤＡ２がコンピュータ３と赤外線による通信が不可の状態で、録画済番組表データ２３を基に、操作部１５からの操作に応じえ転送希望番組表データ２４を生成する。そして、制御部１８は、上記赤外線通信が可能になると、録画済番組表データ２３をコンピュータ３に送信する。【選択図】  図２
2005236776.tif 000002
【特許請求の範囲】
【請求項１】
コンテンツデータを取得するデータ処理装置と通信を行う携帯型通信装置であって、
メモリと、
前記データ処理装置との間で通信を行う通信手段と、
前記通信手段が前記データ処理装置と通信不可状態で、前記データ処理装置が既に取得している前記コンテンツデータの転送指示を示す転送指示データを生成し、当該転送指示データを前記メモリに書き込み、前記通信手段が前記データ処理装置と通信可能状態になると、前記メモリから前記転送指示データを読み出して前記通信手段を介して前記データ処理装置に送信し、前記転送指示に応じて前記通信手段を介して前記データ処理装置から受信した前記コンテンツデータを前記メモリに書き込む制御手段と
を有する携帯型通信装置。
【請求項２】
前記制御手段は、前記通信手段が前記データ処理装置と通信可能状態で、前記データ処理装置が既に取得している前記コンテンツデータを示す取得済データを前記データ処理装置から受信して前記メモリに書き込み、前記通信手段が前記データ処理装置と通信不可状態で、前記メモリから読み出した前記取得済データを基に前記転送指示データを生成する
請求項１に記載の携帯型通信装置。
【請求項３】
前記制御手段は、
前記通信手段が前記データ処理装置と通信不可状態で、前記コンテンツデータの取得指示を示す取得指示データを生成し、当該取得指示データを前記メモリに書き込み、前記通信手段が前記データ処理装置と通信可能状態になったときに、前記メモリから前記取得指示データを読み出して前記通信手段を介して前記データ処理装置に送信する
請求項１に記載の携帯型通信装置。
【請求項４】
前記制御手段は、過去に送信した前記取得指示データによって前記取得指示が行われた前記コンテンツデータに対しての前記転送指示を示す前記転送指示データを生成する
請求項３に記載の携帯型通信装置。
【請求項５】
表示手段と、
指定手段と
をさらに有し、
前記制御手段は、前記メモリから読み出した前記取得済データが示す前記コンテンツデータのなかから、前記転送指示を行うコンテンツデータを前記指定手段を用いて指定させる第１の画面を前記表示手段に表示させ、前記第１の画面を基に指定された前記コンテンツデータの転送指示を示す前記転送指示データを生成する
請求項２に記載の携帯型通信装置。
【請求項６】
表示手段と、
指定手段と
をさらに有し、
前記制御手段は、前記通信手段が前記データ処理装置と通信可能状態で、前記データ処理装置が取得可能なコンテンツデータの一覧を示す一覧データを前記データ処理装置から受信し、当該受信した前記一覧データを前記メモリに書き込み、前記通信手段が前記データ処理装置と通信不可状態で、前記一覧データが示す前記コンテンツデータのなかから、前記取得指示を行うコンテンツデータを指定させる第２の画面を前記表示手段に表示させ、当該第２の画面を基に前記指定手段で指定された前記コンテンツデータの取得指示を示す前記取得指示データを生成する
請求項３に記載の携帯型通信装置。
【請求項７】
表示手段と、
指定手段と
をさらに有し、
前記制御手段は、前記転送指示および前記取得指示の双方を指定可能な画面を前記表示手段に表示し、当該画面を基に前記指定手段で指定された前記コンテンツデータを示す取得指示データおよび転送指示データを前記メモリに書き込む
請求項３に記載の携帯型通信装置。
【請求項８】
前記制御手段は、前記データ処理装置に無期限で保存することを指示する前記コンテンツデータを指定させる第３の画面を前記表示手段に表示させ、前記第３の画面を基に指定された前記コンテンツデータを示す無期限保存指示データを生成して前記メモリに書き込み、前記通信手段が前記データ処理装置と通信可能状態なると、前記メモリから読み出した前記無期限保存指示データを前記通信手段を介して前記データ処理装置に送信する
請求項５に記載の携帯型通信装置。
【請求項９】
前記制御手段は、前記第１の画面と前記第３の画面とを構成する単数の画面を前記表示手段に表示させる
請求項８に記載の携帯型通信装置。
【請求項１０】
前記制御手段は、前記メモリに記憶した複数の前記コンテンツデータを連続再生する指示を受けると、当該指示を基に、前記複数のコンテンツデータを連続再生する
請求項１に記載の携帯型通信装置。
【請求項１１】
コンテンツデータを再生する携帯型通信装置と通信を行うデータ処理装置であって、
前記コンテンツデータを取得する第１の通信手段と、
前記携帯型通信装置と通信を行う第２の通信手段と、
前記第１の通信手段が受信した前記コンテンツデータを記憶するメモリと、
前記第１の通信手段および前記第２の通信手段による通信を制御する制御手段と
を有し、
前記制御手段は、
前記第２の通信手段が前記携帯型通信装置と非通信可能状態で、過去の前記第２の通信手段が前記携帯型通信装置と過去に通信可能状態であるときに前記携帯型通信装置から受信した取得指示データを基に、前記第１の通信手段を介して前記コンテンツデータを受信して前記メモリに書き込み、その後、前記通信可能状態になると、前記携帯型通信装置から受信した転送指示データを基に、前記メモリから読み出した前記コンテンツデータを前記第２の通信手段を介して前記携帯型通信装置に送信する
データ処理装置。
【請求項１２】
前記制御手段は、前記第１の通信手段を介して受信した前記コンテンツデータを、前記携帯型通信装置に送信する形式に変換して前記メモリに書き込む
請求項１１に記載のデータ処理装置。
【請求項１３】
前記制御手段は、前記メモリの記憶容量の残存量を監視し、当該残存量が所定の値以下になると、前記メモリに書き込まれた時が早い順に優先的に前記コンテンツデータの記憶をメモリから自動的に消去する
請求項１１に記載のデータ処理装置。
【請求項１４】
前記制御手段は、前記通信可能状態で前記携帯型通信装置から受信した無期限保存指示データが示す前記コンテンツデータを、前記消去の対象から外す
請求項１３に記載のデータ処理装置。
【請求項１５】
コンテンツデータを取得するデータ処理装置と通信を行う携帯型通信装置が実行するプログラムであって、
前記携帯型通信装置が前記データ処理装置と通信不可状態で、前記データ処理装置が既に取得している前記コンテンツデータの転送指示を示す転送指示データを生成して前記携帯型通信装置が備えるメモリに書き込む第１の手順と、
前記第１の手順を実行後に、前記携帯型通信装置が前記データ処理装置と通信可能状態になると、前記メモリから前記転送指示データを読み出して前記データ処理装置に送信する第２の手順と、
前記第２の手順で送信した前記転送指示データに応じて、前記データ処理装置から受信した前記コンテンツデータを前記メモリに書き込む第３の手順と
を前記携帯型通信装置に実行させるプログラム。
【請求項１６】
コンテンツデータを再生する携帯型通信装置と通信を行うデータ処理装置が実行するプログラムであって、
前記データ処理装置が前記携帯型通信装置と非通信可能状態で、過去の前記第２の通信手段が前記携帯型通信装置と通信可能状態であるときに前記携帯型通信装置から受信した取得指示データを基に、所定のコンテンツ提供元から前記コンテンツデータを受信して前記データ処理装置が備えるメモリに書き込む第１の手順と、
前記第１の手順を実行後に、前記通信可能状態になると、前記携帯型通信装置から受信した転送指示データを基に、前記メモリから読み出した前記コンテンツデータを前記携帯型通信装置に送信する第２の手順と
を前記データ処理装置に実行させるプログラム。
【発明の詳細な説明】
【技術分野】
【０００１】
本発明は、コンテンツデータに係わる処理を行う携帯型通信装置およびデータ処理装置、並びにそれらのプログラムに関する。
【背景技術】
【０００２】
例えば、下記特許文献１には、コンピュータとＰＤＡ(Personal Digital Assistants)
とを用いて赤外線通信を行う通信システムが開示されている。
この通信システムでは、ＰＤＡは、コンピュータと赤外線通信で接続した状態で、コンピュータから受信した録画済番組データを基に、コンピュータからＰＤＡへの転送を希望する番組の指定をユーザから受け、当該指定された番組を示す転送指示データを送信する。
そして、コンピュータは、上記ＰＤＡから受信した転送指示データを基に、内蔵メモリから読み出した番組データを、ＰＤＡで処理可能な形式に変換してＰＤＡに送信する。
【特許文献１】特開２００２−２６２２２０号公報
【発明の開示】
【発明が解決しようとする課題】
【０００３】
しかしながら、上述したシステムでは、ユーザがＰＤＡを持ち歩くなどしてＰＤＡとコンピュータとが赤外線通信できない状態では、ＰＤＡを操作して上記転送指示データを生成できず、不便であるという問題がある。
また、上述したシステムでは、コンピュータが転送指示データを受信した後に番組データをＰＤＡで処理可能な形式に変換するため、ＰＤＡがコンピュータと赤外線通信可能な状態になってから、実際にコンテンツデータを受信するまでの時間が長いという問題がある。
【０００４】
本発明は、上述した従来技術の問題点に鑑みてなされ、携帯型通信装置にコンピュータを提供するデータ処理装置と、上記携帯型通信装置とが通信不可状態でも、上記携帯型通信装置においてコンテンツデータの転送指示データを生成できる携帯型通信装置およびそのプログラムを提供することを目的とする。
また、本発明は、、携帯型通信装置がデータ処理装置と通信可能な状態になってから、実際にデータ処理装置からコンテンツデータを受信するまでの時間を短縮できる携帯型通信装置、データ処理装置およびそれらのプログラムを提供することを目的とする。
【課題を解決するための手段】
【０００５】
上述した従来技術の問題点を解決し、上述した目的を達成するために、第１の発明の携帯型通信装置は、コンテンツデータを取得するデータ処理装置と通信を行う携帯型通信装置であって、メモリと、前記データ処理装置との間で通信を行う通信手段と、前記通信手段が前記データ処理装置と通信不可状態で、前記データ処理装置が既に取得している前記コンテンツデータの転送指示を示す転送指示データを生成し、当該転送指示データを前記メモリに書き込み、前記通信手段が前記データ処理装置と通信可能状態になると、前記メモリから前記転送指示データを読み出して前記通信手段を介して前記データ処理装置に送信し、前記転送指示に応じて前記通信手段を介して前記データ処理装置から受信した前記コンテンツデータを前記メモリに書き込む制御手段とを有する。
【０００６】
第１の発明の携帯型通信装置の作用は以下のようになる。
制御手段が、通信手段が前記データ処理装置と通信不可状態で、前記データ処理装置が既に取得している前記コンテンツデータの転送指示を示す転送指示データを生成し、当該転送指示データを前記メモリに書き込む。
次に、前記制御手段が、前記通信手段が前記データ処理装置と通信可能状態になると、前記メモリから前記転送指示データを読み出して前記通信手段を介して前記データ処理装置に送信する。
また、前記制御手段が、前記転送指示に応じて前記通信手段を介して前記データ処理装置から受信した前記コンテンツデータを前記メモリに書き込む。
【０００７】
また、第２の発明のデータ処理装置は、コンテンツデータを再生する携帯型通信装置と通信を行うデータ処理装置であって、前記コンテンツデータを取得する第１の通信手段と、前記携帯型通信装置と通信を行う第２の通信手段と、前記第１の通信手段が受信した前記コンテンツデータを記憶するメモリと、前記第１の通信手段および前記第２の通信手段による通信を制御する制御手段とを有し、前記制御手段は、前記第２の通信手段が前記携帯型通信装置と非通信可能状態で、過去の前記第２の通信手段が前記携帯型通信装置と過去に通信可能状態であるときに前記携帯型通信装置から受信した取得指示データを基に、前記第１の通信手段を介して前記コンテンツデータを受信して前記メモリに書き込み、その後、前記通信可能状態になると、前記携帯型通信装置から受信した転送指示データを基に、前記メモリから読み出した前記コンテンツデータを前記第２の通信手段を介して前記携帯型通信装置に送信する。
【０００８】
第２の発明のデータ処理装置の作用は以下のようになる。
制御手段が、第２の通信手段が前記携帯型通信装置と非通信可能状態で、過去の前記第２の通信手段が前記携帯型通信装置と過去に通信可能状態であるときに前記携帯型通信装置から受信した取得指示データを基に、前記第１の通信手段を介して前記コンテンツデータを受信して前記メモリに書き込む。
そして、前記制御手段が、前記通信可能状態になると、前記携帯型通信装置から受信した転送指示データを基に、前記メモリから読み出した前記コンテンツデータを前記第２の通信手段を介して前記携帯型通信装置に送信する。
【０００９】
第３の発明のプログラムは、コンテンツデータを取得するデータ処理装置と通信を行う携帯型通信装置が実行するプログラムであって、前記携帯型通信装置が前記データ処理装置と通信不可状態で、前記データ処理装置が既に取得している前記コンテンツデータの転送指示を示す転送指示データを生成して前記携帯型通信装置が備えるメモリに書き込む第１の手順と、前記第１の手順を実行後に、前記携帯型通信装置が前記データ処理装置と通信可能状態になると、前記メモリから前記転送指示データを読み出して前記データ処理装置に送信する第２の手順と、前記第２の手順で送信した前記転送指示データに応じて、前記データ処理装置から受信した前記コンテンツデータを前記メモリに書き込む第３の手順とを前記携帯型通信装置に実行させる。
【００１０】
第４の発明のプログラムは、コンテンツデータを再生する携帯型通信装置と通信を行うデータ処理装置が実行するプログラムであって、前記データ処理装置が前記携帯型通信装置と非通信可能状態で、過去の前記第２の通信手段が前記携帯型通信装置と通信可能状態であるときに前記携帯型通信装置から受信した取得指示データを基に、コンテンツ提供元から前記コンテンツデータを受信して前記データ処理装置が備えるメモリに書き込む第１の手順と、前記第１の手順を実行後に、前記通信可能状態になると、前記携帯型通信装置から受信した転送指示データを基に、前記メモリから読み出した前記コンテンツデータを前記携帯型通信装置に送信する第２の手順とを前記データ処理装置に実行させる。
【発明の効果】
【００１１】
本発明によれば、携帯型通信装置にコンピュータを提供するデータ処理装置と、上記携帯型通信装置とが通信不可状態でも、上記携帯型通信装置においてコンテンツデータの転送指示データを生成できる携帯型通信装置およびそのプログラムを提供することができる。
また、本発明によれば、携帯型通信装置がデータ処理装置と通信可能な状態になってから、実際にデータ処理装置からコンテンツデータを受信するまでの時間を短縮できる携帯型通信装置、データ処理装置およびそれらのプログラムを提供することができる。
【発明を実施するための最良の形態】
【００１２】
以下、本発明の実施の形態について図面を参照して説明する。
第１実施形態
図１は、本発明の実施形態の通信システム１の構成図である。
図１に示すように、通信システム１は、例えば、ＰＤＡ２およびコンピュータ３を有する。
ＰＤＡ２とコンピュータ３とは、赤外線通信により、データ送受信を行う。
実施形態において、ＰＤＡ２が本発明の携帯型通信装置に対応し、コンピュータ３が本発明のデータ処理装置に対応している。
〔ＰＤＡ２〕
図２はＰＤＡ２の構成図、図３はＰＤＡ２の正面側の外観図である。
ＰＤＡ２は、携帯型の通信装置である。
図２に示すように、ＰＤＡ２は、例えば、赤外線データ送受信部１２、画像音声処理部１３、表示部１４、操作部１５、伸張部１６、記憶装置１７および制御部１８を有する。
ここで、赤外線データ送受信部１２、画像音声処理部１３、伸張部１６、記憶装置１７および制御部１８は、電子回路によって実現される。
本実施形態において、赤外線データ送受信部１２が第１の発明の通信手段に対応し、記憶装置１７が第１の発明のメモリに対応し、制御部１８が第１の発明の制御手段に対応している。
また、表示部１４が第１の発明の表示手段に対応し、操作部１５が第１の発明の指定手段に対応している。
【００１３】
赤外線データ送受信部１２は、例えば、コンピュータ３と赤外線によるデータ授受を行う。
具体的には、赤外線データ送受信部１２は、制御部１８から入力した送信するデータを赤外線発光ダイオード等の素子を用いて変調し、赤外線信号としてコンピュータ３に送信する。
また、赤外線データ送受信部１２は、コンピュータ３からの赤外線信号をフォトトランジスタダイオード等の素子を用いて受信し、これを復調して制御部１８に出力する。
当該赤外線通信の変調方式としては、例えば、ＩＥＥＥ(Institute of Electronic and Electronics Engineers) １３９４方式に基づく４８０Ｍｂｐｓ（ビット／秒）程度の高速なデータ転送が可能なものを用いる。
画像音声処理部１３は、制御部１８から入力した画像（ビデオ）データおよび音声（オーディオ）データなどで構成される番組データ２６を表示部１４で処理可能な画像（ビデオ）信号および音声（オーディオ）信号に変換して表示部１４に出力する。
【００１４】
表示部１４は、図３に示すディスプレイ４０１を有し、画像音声処理部１３から入力した画像信号に応じた画面をディスプレイ４０１に表示する。
また、表示部１４は、図示しないスピーカを備え、画像音声処理部１３から入力した音声信号に応じた音声出力を行う。
操作部１５は、例えば、図３に示すように、上操作ボタン４０２、左操作ボタン４０３、右操作ボタン４０４、下操作ボタン４０５、確定操作ボタン４０６、戻る操作ボタン４０７、メニュー操作ボタン４０８を有し、ユーザの指示に応じた指示信号を制御部１８に出力する。
ここで、上操作ボタン４０２、左操作ボタン４０３、右操作ボタン４０４、下操作ボタン４０５は、例えば、ディスプレイ４０１上に表示されたカ−ソルを画面上でそれぞれ左、上、右、下方向に移動させるボタンである。
確定操作ボタン４０６は、例えば、画面上のカーソルの位置を指定するボタンである。
戻る操作ボタン４０７は、画面上での操作を１つ前の状態に戻すためのボタンである。
メニュー操作ボタン４０８は、ディスプレイ４０１上にメニュー画面を表示させるためのボタンである。
なお、操作部１５は、キーボードや表示部１４の画面を利用したタッチパネルなどであって、ユーザの指示に応じた指示信号を制御部１８に出力してもよい。
出力してもよい。
【００１５】
伸張部１６は、記憶装置１７から読み出した番組データ２６を、所定の圧縮方法に対応した伸張方法で伸張して制御部１８に出力する。
ここで、番組データ２６は、画像データおよび音声データから構成される。
当該圧縮方法は、例えば、画像に関してはＭＰＥＧ(Motion Picture Experts Group)２やＭＰＥＧ４のような周知の圧縮・伸張規格に規定されたものである。
また、音声に関しては、ＭＰ３（MPEG Audio Layer-3）や、ＡＡＣ(Advanced Audio Codec)のような周知の圧縮・伸張規格に規定されたものである。
【００１６】
記憶装置１７は、例えば、半導体メモリであり、ＰＤＡ２の外部からアクセスできないように構成されている。
記憶装置１７は、例えば、図２に示すように番組表データ２１（本発明の一覧データ）、録画希望番組表データ２２（本発明の取得指示データ）、録画済番組表データ２３（本発明の取得済データ）、転送希望番組表データ２４（転送指示データ）、転送済番組表データ２５、番組データ２６（本発明のコンテンツデータ）およびプログラムＰＲＧ１（第３の発明のプログラム）を記憶する。
【００１７】
番組表データ２１は、コンピュータ３が受信可能な番組データのリストを示している。  具体的には、番組表データ２１は、放送局名、番組名、開始時間、終了時間などの情報を含んでいる。
番組表データ２１は、例えば、コンピュータ３を介してサーバから取得されるＥＰＧ（Electronic Program Guide）データを基に生成されてもよい。
録画希望番組表データ２２は、ＰＤＡ２のユーザの操作により、コンピュータ３に対して録画を希望する番組のリストを示している。
録画済番組表データ２３は、コンピュータ３が録画を完了した番組のリストを示している。
転送希望番組表データ２４は、ＰＤＡ２のユーザの操作により、コンピュータ３に対してＰＤＡ２への転送を希望する番組のリストを示している。
転送済番組表データ２５は、コンピュータ３からＰＤＡ２に既に転送して記憶装置１７に書き込んだ番組のリストを示している。
番組データ２６は、前述したように、コンピュータ３から転送を受けた番組データである。
プログラムＰＲＧ１は、制御部１８が実行する処理を規定したプログラムである。
【００１８】
制御部１８は、記憶装置１７から読み出したプログラムＰＲＧ１を基に、ＰＤＡ２の各構成要素の処理を統括的に制御する。
制御部１８の機能については、ＰＤＡ２の動作と関連付けて説明する。
【００１９】
図４は、図１に示すＰＤＡ２とコンピュータ３との間で行われるデータ授受を説明するための図である。
図４に示すように、ＰＤＡ２からコンピュータ３へは、転送希望番組表データ２４および録画希望番組表データ２２が送信される。
また、コンピュータ３からＰＤＡ２へは、番組データ２６、転送済番組表データ２５、番組表データ２１および録画済番組表データ２３が送信される。
【００２０】
図３に示すメニュー操作ボタン４０８をユーザが押下すると、制御部１８は、図５に示すメニュー画面５０１をディスプレイ４０１に表示させる。
メニュー画面５０１は、転送済番組再生項目５０２、録画希望番組設定項目５０３および転送希望番組設定項目５０４の各項目が１行で表示されている。
ユーザは、図３に示す上操作ボタン４０２と下操作ボタン４０５を押すことにより、希望する項目行の選択を行って指定する項目の上にカ−ソルを合わせ、確定操作ボタン４０６を押すことにより、その項目の指定を行い、その項目に対応した処理を制御部１８が行う。
【００２１】
次に、ユーザが、図５に示すメニュー画面５０１内で録画希望番組設定項目５０３上にカーソルが位置させ、確定操作ボタン４０６を押すと、制御部１８は、図６に示すように、ディスプレイ４０１上に録画希望番組日付選択画面６０２を表示させる。
このとき、制御部１８は、記憶装置１７から読み出した番組表データ２１を基に、番組表の日付を指定する画面６０２をディスプレイ４０１に表示する。
そして、画面６０２において、日付が指定されると、制御部１８は、その指定された日付における各時間帯の番組の録画指示を行うための録画希望番組設定画面をディスプレイ４０１に表示させる。
ユーザは、図３に示す上操作ボタン４０２および下操作ボタン４０５を押して、録画希
望番組のあるチャンネルを指定する。
制御部１８は、記憶装置１７から読み出した番組表データ２１を基に、上記指定されたチャンネルの番組表を、図７に示すように表示する録画希望番組設定画面６１０をディスプレイ４０１に表示する。
録画希望番組設定画面６１０は、図７に示すように、指定されたチャンネルについての番組名を、その開始日時、終了日時と共に示している。
ユーザは、上操作ボタン４０２と下操作ボタン４０５とを押して、録画を希望する番組の行にカーソルを位置させ、確定操作ボタン４０６を押す。これにより制御部１８は、録画希望番組設定画面６１０の右側に位置する録画有無の項目に、録画を示す「Ｒ」を表示させる。
また、制御部１８は、録画希望番組表データ２２に、当該指定された番組の識別データを追加する。
ディスプレイ４０１には、図７示すように、例えば、８番組についての項目が同時に表示される。そして、ユーザが、最下項目にカ−ソルを位置させた状態で、下操作ボタン４０５を押すことで、その下の項目がディスプレイ４０１に表示される。
【００２２】
ユーザは、図７に示す録画希望番組設定画面６１０が表示された状態で、確定操作ボタン４０６を所定の時間以上押しつづけると、制御部１８は、図８に示す録画希望番組表画面６１２をディスプレイ４０１に表示させる。
ユーザは、録画希望番組表画面６１２を基に、自らが録画予約した番組を知ることができる。
また、ユーザは、図７に示す録画希望番組設定画面６１０上で、上操作ボタン４０２および下操作ボタン４０５を押下して、録画希望を取り消す番組を指定し、確定操作ボタン４０６を押下する。制御部１８は、当該指定された番組の識別データを、録画希望番組表データ２２から削除する。
【００２３】
次に、ユーザが、図５に示すメニュー画面５０１上で転送希望番組設定項目５０４を指定した場合を説明する。
この場合に、制御部１８は、図９に示すように、記憶装置１７から読み出した録画済番組表データ２３を基に、ディスプレイ４０１上に録画済番組表画面６１３を表示させる。
図９に示すように、録画済番組表画面６１３は、番組名、チャンネル番号、番組の開始日時、番組の終了日時、転送希望の有無を示す項目を各行毎に、各番組毎に示している。
ユーザは、図３に示す上操作ボタン４０２および左操作ボタン４０３を押して、録画済番組表画面６１３上で、転送希望の番組を指定し、確定操作ボタン４０６を押下する。
これにより、制御部１８は、当該指定された転送希望番組の項目に、転送を示す「Ｔ」を表示する。
また、制御部１８は、上記指定された番組の識別データを転送希望番組表データ２４に追加する。
ユーザは、図９に示す録画済番組表画面６１３が表示された状態で、確定操作ボタン４０６を所定の時間以上押しつづけると、制御部１８は、図１０に示す転送希望番組表画面６１４をディスプレイ４０１に表示させる。
ユーザは、転送希望番組表画面６１４を基に、自らが転送予約した番組を知ることができる。
また、ユーザは、図９に示す録画済番組表画面６１３上で、上操作ボタン４０２および下操作ボタン４０５を押下して、転送希望を取り消す番組を指定し、確定操作ボタン４０６を押下する。制御部１８は、当該指定された番組の識別データを、転送済番組表データ２５から削除する。
【００２４】
次に、ユーザが、図５に示すメニュー画面５０１上で転送済番組再生項目５０２を指定した場合を説明する。
この場合に、制御部１８は、図１１に示すように、記憶装置１７から読み出した転送済番組表データ２５を基に、ディスプレイ４０１上に転送済番組表画面６１４を表示させる。
ユーザは、転送済番組表画面６１４上で上操作ボタン４０２および下操作ボタン４０５を押して、再生を希望する番組を指定し、確定操作ボタン４０６を押下する。
これにより、制御部１８は、当該指定された番組に対応する番組データ２６を記憶装置１７から伸張部１６に読み出して伸張を行い、続いて画像音声処理部１３に出力して、当該番組に応じた画像および音声を表示部１４に出力させる。すなわち、再生を行う。
【００２５】
〔コンピュータ３〕
図１２は、図１に示すコンピュータ３の構成図である。
図１２に示すように、コンピュータ３は、例えば、アンテナ５１、チューナ５２、赤外線送受信部５３、通信部５５、圧縮部５６、記憶装置５７および制御部５８を有する。
本実施形態において、通信部５５が第２の発明の第１の通信手段に対応し、赤外線送受信部５３が第２の発明の第２の通信手段に対応し、記憶装置５７が第２の発明のメモリに対応し、制御部５８が第２の発明の制御手段に対応している。
【００２６】
チューナ５２は、アンテナ５１が受信したアナログ伝送されるテレビジョン放送波を入力し、制御部５８で指定された番組（チャンネル）のベースバンド信号を抽出し、これをデジタル信号に変換すると共に、画像データと音声データとに分離し、これらを制御部５８に出力する。
【００２７】
赤外線送受信部５３は、ＰＤＡ２と赤外線によるデータ授受を行う。
通信部５５は、制御部５８からの指示に応じて、ネットワーク６２を介してサーバ６１（本発明のコンテンツ提供元）からメモリ６２ＥＰＧなどの番組表データを受信（ダウンロード）し、これを制御部５８に出力する。
なお、番組表データは、例えば、チューナ５２が受信したベースバンド信号のＶＢＩ（VerticalBlankingInterval）に含まれるＥＰＧデータを抽出して取得してもよい。
圧縮部５６は、制御部５８から入力した画像データおよび音声データを上述したＰＤＡ２の伸張部１６で採用する伸張方法に対応した圧縮方法で圧縮し、続いてＰＤＡ２に送信するファイル形式に変換して番組データ２６として記憶装置５７に書き込む。
記憶装置５７は、番組表データ２１、録画希望番組表データ２２、録画済番組表データ２３、転送希望番組表データ２４、転送済番組表データ２５、番組データ２６およびプログラムＰＲＧ２（第４の発明のプログラム）を記憶する。
記憶装置５７は、ＳＤＲＡＭ(Synchronous DRAM)等の高速アクセス可能なメモリである。
制御部５８は、記憶装置５７から読み出したプログラムＰＲＧ２を基に、コンピュータ３の動作を統括的に制御する。
制御部５８の処理については、コンピュータ３の動作例と関連付けて説明する。
【００２８】
以下、図１に示す通信システム１の動作例を説明する。
図１３および図１４は、図１に示す通信システム１の動作例を説明する。
本実施形態において、図２に示すＰＤＡ２の制御部１８、並びに図１２に示すコンピュータ３の制御部５８は、赤外線データ送受信部１２と赤外線送受信部５３との間の赤外線通信が可能になったか否かを常時監視している。
ステップＳＴ１：
ＰＤＡ２とコンピュータ３とが赤外線通信が不可の状態で、ユーザがＰＤＡ２のディスプレイ４０１上で図５に示す録画希望番組設定項目５０３を指定して図７に示す録画希望番組設定画面６１０を表示させる。
そしてユーザは、操作部１５を操作して、録画希望番組設定画面６１０上で録画希望する番組Ａを指定し、それに応じた操作信号が制御部１８に出力される。
ステップＳＴ２：
制御部１８は、ステップＳＴ１で入力した操作信号を基に、番組Ａを示す録画希望番組表データ２２を生成し、これを記憶装置１７に書き込む。
【００２９】
ステップＳＴ３：
ＰＤＡ２の制御部１８は、ＰＤＡ２がコンピュータ３と通信可能になったと判断すると、ステップＳＴ４に進む。
また、コンピュータ３の制御部５８は、コンピュータ３がＰＤＡ２と通信可能になったと判断すると、ステップＳＴ５に進む。
ステップＳＴ４：
ＰＤＡ２の制御部１８は、ステップＳＴ２で記憶装置１７に記憶した例えば番組Ｂを示す録画済番組表データ２３を読み出して、赤外線データ送受信部１２を介してコンピュータ３に送信する。すなわち、この時点で、番組Ｂの番組データは、チューナ５２で受信されて圧縮部５６による圧縮処理を経て記憶装置５７に書き込まれている。
図１２に示すコンピュータ３の制御部５８は、赤外線送受信部５３を介して受信した録画希望番組表データ２２を、記憶装置５７に書き込む。
なお、本動作例では、一例として、この時点では、転送希望番組表データ２４が作成されていない場合を例示する。だだし、転送希望番組表データ２４が既に作成されている場合には、ＰＤＡ２は転送希望番組表データ２４をコンピュータ３に送信する。
ステップＳＴ５：
図１２に示すコンピュータ３の制御部５８は、記憶装置５７から読み出した番組表データ２１、録画済番組表データ２３および転送済番組表データ２５を、赤外線送受信部５３を介してＰＤＡ２に送信する。
図２に示すＰＤＡ２の制御部１８は、赤外線データ送受信部１２が受信した番組表データ２１、録画済番組表データ２３および転送済番組表データ２５を記憶装置１７に書き込む。
【００３０】
ステップＳＴ６：
ユーザがＰＤＡ２を持ち歩き、ＰＤＡ２とコンピュータ３との間で赤外線による通信が不可の状態になる。
ステップＳＴ７：
図１２に示すコンピュータ３の制御部５８は、ステップＳＴ４で受信した録画希望番組表データ２２を基に、チューナ５２を介して録画希望に係わる番組Ａの画像データおよび音声データを受信して、圧縮部５６で圧縮処理、並びにＰＤＡ２に送信するファイル形式に変換した後に記憶装置５７に書き込む。
そして、制御部５８は、当該番組の識別データを録画済番組表データ２３に追加する。
ステップＳＴ８：
ＰＤＡ２とコンピュータ３とが赤外線通信が不可の状態で、ユーザがＰＤＡ２のディスプレイ４０１上で図５に示す転送希望番組設定項目５０４を指定して図９に示す録画済番組表画面６１３をを表示させる。
そしてユーザは、操作部１５を操作して、番組Ｂを示す録画済番組表データ２３を基に生成された録画済番組表画面６１３上で録画希望する番組Ｂを指定し、それに応じた操作信号が制御部１８に出力される。
ステップＳＴ９：
制御部１８は、ステップＳＴ８で入力した操作信号を基に、転送希望番組表データ２４を生成し、これを記憶装置１７に書き込む。
ステップＳＴ１０：
ＰＤＡ２の制御部１８は、ＰＤＡ２がコンピュータ３と通信可能になったと判断すると、ステップＳＴ１１に進む。
また、コンピュータ３の制御部５８は、コンピュータ３がＰＤＡ２と通信可能になったと判断すると、ステップＳＴ１２に進む。
ステップＳＴ１１：
ＰＤＡ２の制御部１８は、ステップＳＴ９で記憶装置１７に記憶した転送希望番組表データ２４を読み出して、赤外線データ送受信部１２を介してコンピュータ３に送信する。
図１２に示すコンピュータ３の制御部５８は、赤外線送受信部５３を介して受信した番組Ｂを示す転送希望番組表データ２４を記憶装置５７に書き込む。
また、制御部５８は、当該受信した転送希望番組表データ２４が指定する番組Ｂの番組データ２６を記憶装置５７から読み出して、赤外線送受信部５３を介してＰＤＡ２に送信し、転送希望番組表データ２４を更新する。
制御部５８は、記憶装置５７から読み出した新たな番組表データ２１、録画済番組表データ２３および転送済番組表データ２５を、赤外線送受信部５３を介してＰＤＡ２に送信する。
【００３１】
以上説明したように、通信システム１によれば、ＰＤＡ２は、コンピュータ３と赤外線による通信不可の状態で、録画希望番組を指定して録画希望番組表データ２２を生成できると共に、転送希望番組を指定して転送希望番組表データ２４を生成できる。
そのため、コンピュータ３は、予め受信した録画希望番組表データ２２を基に、チューナ５２を介して受信した画像データおよび音声データを圧縮部５６において圧縮、並びにＰＤＡ２に送信するファイル形式に変換して記憶装置５７に書き込むことできる。
そして、コンピュータ３は、ＰＤＡ２と通信可能になったときに、ＰＤＡ２から受信した転送希望番組表データ２４を基に、転送希望に係わる番組データ（画像データおよび音声データ）を記憶装置５７から即座に読み出してＰＤＡ２に送信できる。
そのため、ＰＤＡ２は、予め録画希望を出した番組の番組データをコンピュータ３から短時間で取得できる。
【００３２】
第２実施形態
本実施形態のＰＤＡ２は、図８に示す録画希望番組表画面６１２の表示、並びに機能の一部が第１実施形態とは異なる。
図１５は、本発明の第２実施形態に係わるＰＤＡ２のディスプレイ４０１に表示される録画希望番組表画面６１２ａを説明するための図である。
図１５に示すように、録画希望番組表画面６１２ａは、録画希望番組表画面６１２と同様に、１つの番組に関する項目が１行で表示されている。
図１５に示すように、録画希望番組表画面６１２ａの各行は、対応する番組について、その番組名、チャンネル番号、番組の開始日時、番組の終了日時、録画希望および転送希望の有無を示している。
ユーザが図３に示す上操作ボタン４０２および下操作ボタン４０５を押して録画希望番組表画面６１２ａ上で転送希望の番組を指定し、確定操作ボタン４０６を１回押下すると、制御部１８は、当該指定された番組の項目に、録画を示す「Ｒ」を表示する。
また、ユーザが確定操作ボタン４０６をもう１回押下すると、制御部１８は、当該指定された番組の項目に、転送を示す「Ｔ」を表示する。
制御部１８は、上記転送が指定された番組の識別データを転送希望番組表データ２４に追加する。
制御部１８は、上記録画が指定された番組の識別データを録画希望番組表データ２２に追加する。
【００３３】
本実施形態によれば、録画希望番組表画面６１２ａ上で録画希望番組を選択する際に、同時に転送希望番組を指定でき、操作性がよい。
なお、ある番組を転送希望番組として指定した場合には、当該番組の識別データを、転送希望番組表データ２４と録画希望番組表データ２２とに自動的に追加する。
【００３４】
第３実施形態
本実施形態は、図１２に示す制御部  ５８ａの機能の一部が、第１実施形態の制御部５８と異なる。
すなわち、本実施形態のコンピュータ３の制御部５８ｂは、制御部５８と同様に、時間管理機能を有しており、録画済番組表データ２３を基に、番組データの記録を行う。
この場合に、記憶装置５７の記憶容量には制限があるため、記憶装置５７に無制限に転番組データ２６を記録することはできない。
これを避けるために、ユーザが、図９に示す録画済番組表画面６１３を基に、不要な番組データ２６を、コンピュータ３の記憶装置５７から記録消去してもよい。
本実施形態では、その他に、図１２に示すコンピュータ３の制御部５８ｂが、記憶装置５７の記憶容量の残容量を監視し、それが一定値を超えた場合、図９に示すように、時間順に並べた番組のなかから、古い順に自動的に番組データ２６の記憶を消去する。
例えば、図９に示す番組「１Ｃ」．「１２ＡＸ」，「４Ｊ」，「６ＢＶ」，「１２ＡＺ」，「８Ｃ」，「１Ｇ」のなかから、古い順に番組「１Ｃ」．「１２ＡＸ」，「４Ｊ」の番組データ２６の記憶を記憶装置５７から消去する。
その結果、録画済番組表画面６１３は、図１６に示すようになる。
このようにすることで、ユーザがコンピュータ３の記憶装置５７の記憶容量の残容量を監視する必要がなく、ユーザの手間が省ける。
【００３５】
第４実施形態
本実施形態では、ユーザが、コンピュータ３に対して記憶装置１７内に、無期限で記憶する番組データ２６を指定できる。
例えば、ユーザが、図３に示すＰＤＡ２のメニュー操作ボタン４０８を押下すると、図１７に示すメニュー画面５０１ａがディスプレイ４０１に表示される。
メニュー画面５０１ａは、第１実施形態で説明した転送済番組再生項目５０２、録画希望番組設定項目５０３および転送希望番組設定項目５０４の他に、無期限保存番組設定項目５０５を有する。
ユーザが、メニュー画面５０１ａを基に無期限保存番組設定項目５０５を指定すると、図１８に示す録画希望番組表画面６１２ｂがディスプレイ４０１上に表示される。
【００３６】
ユーザが図３に示す上操作ボタン４０２および下操作ボタン４０５を押して録画希望番組表画面６１２ｂ上で無期限保存希望の番組を指定し、確定操作ボタン４０６を１回押下すると、制御部１８ｂは、当該指定された番組の項目に、無期限を示す「Ｐ」を表示する。
制御部１８ｂは、図１９に示すように、無期限保存が指定された番組の識別データを示す無期限保存番組表データ２８（本発明の無期限保存指示データ）を生成し、これを記憶装置１７に書き込む。
制御部１８ｂは、コンピュータ３と赤外線通信が可能な状態になると、記憶装置１７から無期限保存番組表データ２８を読み出して、赤外線データ送受信部１２を介してコンピュータ３に送信する。
コンピュータ３は、図２０に示すように、赤外線送受信部５３が受信した無期限保存番組表データ２８を、記憶装置５７に書き込む。
【００３７】
なお、ＰＤＡ２の制御部１８ｂは、図１８に示す録画希望番組表画面６１２ｂをディスプレイ４０１に表示させた状態で、図３に示す確定操作ボタン４０６を所定時間以上押し続けると、図２１に示す無期限保存番組表画面６２０をディスプレイ４０１に表示する。
図２１に示すように、無期限保存番組表画面６２０は、無期限保存が指定された番組の番組名、チャンネル名、その番組放送の開始日時および終了日時を示している。
本実施形態において、ユーザが無期限保存番組を消去したい場合は、図２１に示す無期限保存番組表画面６２０上で、ユーザが消去する番組の行の上にカ−ソルを位置させ、確定操作ボタン４０６を押下することで、当該番組の識別データが図１９に示す無期限保存番組表データ２８から消去される。すなわち、無期限保存番組表データ２８が更新される。
当該更新された無期限保存番組表データ２８は、後にコンピュータ３に送信され、コンピュータ３の制御部５８ｂは、更新された無期限保存番組表データ２８を基に、記憶装置５７に記憶されている番組データ２６の記憶消去を管理する。
本実施形態では、上述したように、無期限保存番組をユーザが指定できるようにしたことで、所定の番組データ２６をコンピュータ３の記憶装置５７に無期限に記憶させ、試聴するときにＰＤＡ２に転送することが可能になり、ＰＤＡ２の記憶装置１７の記憶容量を効率的に使用できる。
【００３８】
第５実施形態
本実施形態では、第４実施形態で説明した無期限保存の指定操作を容易にした画面構成例を説明する。
すなわち、本実施形態では、第２実施形態で説明した図１５に示す録画希望番組表画面６１２ａ上でさらに無期限保存指定を行うことができる録画希望番組表画面を説明する。
図２２は、本実施形態のＰＤＡ２のディスプレイ４０１に表示される録画希望番組表画面６１２ｂを説明するための図である。
図２２に示すように、録画希望番組表画面６１２ｂは、録画希望番組表画面６１２と同様に、１つの番組に関する項目が１行で表示されている。
図２２に示すように、録画希望番組表画面６１２ｂの各行は、対応する番組について、その番組名、チャンネル番号、番組の開始日時、番組の終了日時、録画希望および転送希望の有無に加えて、無期限保存の有無をを示している。
第２実施形態と同様に、ユーザが図３に示す上操作ボタン４０２おび下操作ボタン４０５を押して録画希望番組表画面６１２ｂ上で転送希望の番組を指定し、確定操作ボタン４０６を１回押下すると、制御部１８ｂは、当該指定された番組の項目に、録画を示す「Ｒ」を表示する。
また、ユーザが確定操作ボタン４０６を２回押下すると、制御部１８ｂは、当該指定された番組の項目に、転送を示す「Ｔ」を表示する。
また、ユーザが確定操作ボタン４０６を３回押下すると、制御部１８ｂは、当該指定された番組の項目に、無期限保存を示す「Ｐ」を表示する。
制御部１８ｂは、上記転送が指定された番組の識別データを転送希望番組表データ２４に追加する。
制御部１８ｂは、上記録画が指定された番組の識別データを録画希望番組表データ２２に追加する。
制御部１８ｂは、上記無期限保存が指定された番組の識別データを図１９に示す無期限保存番組表データ２８に追加する。
【００３９】
なお、ある番組を無期限保存番組として指定した場合には、その番組の識別データを、転送希望番組表データ２４、録画希望番組表データ２２および無期限保存番組表データ２８に自動的に追加するようにしてもよい。
これにより、無期限保存番組として指定された場合に、ＰＤＡ２からコンピュータ３に録画指示および転送指示が自動的に送信される。
【００４０】
なお、ＰＤＡ２の制御部１８ｂは、例えば、図２３に示すように、録画希望、転送希望および無期限保存希望の他に、連続再生希望を指定可能な録画希望番組表画面６１２ｃをディスプレイ４０１に表示させてもよい。
ここで、連続再生とは、制御部１８ｂが、図２に示すＰＤＡ２の記憶装置１７に記憶されている複数の番組データ２６を、一つの番組データの再生を完了してから、自動的に次の番組データの再生を開始することをいう。
このようにすることで、ユーザは、図１７に示すメニュー画面５０１ｂの転送済番組再生項目５０２を用いて、複数の番組データ２６の各々については再生を指示する必要がなく、操作性が良くなる。
第６実施形態
本実施形態では、図２に示すＰＤＡ２とコンピュータ３とのインタフェースの一例を説明する。
図２４は、本実施形態の通信システムを説明するための図である。
図２４に示すように、コンピュータ３は、赤外線送受信部８０、マグネット８１およびリードリレー８２を備えたクレードル８３と、コンピュータ本体８４とを有する。
クレードル８３とコンピュータ本体８４の間はデータ線を介して接続されている。
また、ＰＤＡ２は、図２に示す構成要素に、さらにマグネット９０およびリードリレー９１を備えた構成を有している。
ＰＤＡ２がクレードル８３に置かれると、マグネット９０とリードリレー８１とが対向し、リードリレー９１とマグネット８２とが対向して位置する。
これにより、ＰＤＡ２がクレードル８３に置かれると、ＰＤＡ２のマグネット９０が、クレードル３のリードリレー８１を駆動し、このリードリレー８１の出力を元にクレードル３の赤外線送受信部８０が作動する。
また、クレードル８３のマグネット８２が、ＰＤＡ２のリードリレー９１を駆動し、この出力がＰＤＡ２の赤外線送受信部１２を作動する。
これにより、赤外線送受信部１２と赤外線送受信部８０との間の通信が可能になる。
第７実施形態
本実施形態では、図２等に示す番組表データ２１の一例を詳細に説明する。
図２５は、図２に示す番組表データ２１の一例を説明するための図である。
図２５に示すように、番組表データ２１は、各番組毎に、その番組の放送開始日時、放送終了日時、地域コード、番組名、番組説明文および録画状況等を対応付けて示している。
録画状況には、ユーザーより何ら指示の無かったもの、録画予約されたもの、録画済みのもの、転送予約済みのもの、並びに転送済みのものがあり、これらすべての録画状況を集めたものが番組表データ２１、録画予約済みのものだけを集めたものが録画希望番組表データ２２、転送予約済みのものを集めたものが転送希望番組表データ２４となる。
また、録画済番組表データ２３は、実際には図示しないハードディスクドライブの記録量、記録場所などのファイル管理情報を含んでいる。
【産業上の利用可能性】
【００４１】
本発明は、コンテンツデータに係わる処理を行う携帯型通信装置を用いてシステムに利用可能である。
【図面の簡単な説明】
【００４２】
【図１】図１は、本発明の第１実施形態に係わる通信システムの構成図である。
【図２】図２は、図１に示すＰＤＡの構成図である。
【図３】図３は、図２に示すＰＤＡの正面側の外観図である。
【図４】図４は、図１に示すＰＤＡとコンピュータとの間で授受されるデータを説明するための図である。
【図５】図５は、図２に示す表示部のディスプレイに表示されるメニュー画面を説明するための図である。
【図６】図６は、図２に示す表示部のディスプレイに表示される録画希望番組日付選択画面を説明するための図である。
【図７】図７は、図２に示す表示部のディスプレイに表示される録画希望番組設定画面を説明するための図である。
【図８】図８は、図２に示す表示部のディスプレイに表示される録画希望番組表画面を説明するための図である。
【図９】図９は、図２に示す表示部のディスプレイに表示される録画済番組表画面を説明するための図である。
【図１０】図１０は、図２に示す表示部のディスプレイに表示される転送済番組表画面を説明するための図である。
【図１１】図１１は、図２に示す表示部のディスプレイに表示される転送済番組表画面を説明するための図である。
【図１２】図１２は、図１に示すコンピュータの構成図である。
【図１３】図１３は、図１に示す通信システムの動作例を説明するためのフローチャートである。
【図１４】図１４は、図１に示す通信システムの動作例を説明するための図１３の続きのフローチャートである。
【図１５】図１５は、本発明の第２実施形態に係わるＰＤＡの表示部に表示される録画希望番組表画面を説明するための図である。
【図１６】図１６は、本発明の第３実施形態に係わるＰＤＡの表示部に表示される録画済番組表画面を説明するための図である。
【図１７】図１７は、本発明の第４実施形態に係わるＰＤＡの表示部に表示されるメニュー画面を説明するための図である。
【図１８】図１７は、本発明の第４実施形態に係わるＰＤＡの表示部に表示される録画希望番組表画面を説明するための図である。
【図１９】図１９は、本発明の第４実施形態に係わるＰＤＡを説明するための図である。
【図２０】図２０は、本発明の第４実施形態に係わるコンピュータを説明するための図である。
【図２１】図２１は、本発明の第４実施形態に係わる無期限保存番組表画面ぽ説明するための図である。
【図２２】図２２は、本発明の第５実施形態に係わるＰＤＡの表示部に表示される録画希望番組表画面を説明するための図である。
【図２３】図２３は、本発明の第５実施形態に係わるＰＤＡの表示部に表示される録画希望番組表画面を説明するための図である。
【図２４】図２４は、本発明の第６実施形態の通信システムを説明するための図である。
【図２５】図２５は、本発明の第７実施形態の通信システムを説明するための図である。
【符号の説明】
【００４３】
１…通信システム、２…ＰＤＡ、３…コンピュータ、１２…赤外線データ送受信部、１３…画像音声処理部、１４…表示部、１５…操作部、１６…伸張部、１７…記憶装置、２１…番組表データ、２２…録画希望番組表データ、２３…録画済番組表データ、２４…転送希望番組表データ、２５…転送済番組表データ、２６…転送済番組データ、ＰＲＧ１，ＰＲＧ２…プログラム、４０１…ディスプレイ、４０２〜４０８…操作ボタン、５１…アンテナ、５２…チューナ、５３…赤外線送受信部、５５…通信部、５６…圧縮部、５７…記憶装置、６１…サーバ、６２…ネットワーク
【図１】
2005236776.tif 000003
【図２】
2005236776.tif 000004
【図３】
2005236776.tif 000005
【図４】
2005236776.tif 000006
【図５】
2005236776.tif 000007
【図６】
2005236776.tif 000008
【図７】
2005236776.tif 000009
【図８】
2005236776.tif 000010
【図９】
2005236776.tif 000011
【図１０】
2005236776.tif 000012
【図１１】
2005236776.tif 000013
【図１２】
2005236776.tif 000014
【図１３】
2005236776.tif 000015
【図１４】
2005236776.tif 000016
【図１５】
2005236776.tif 000017
【図１６】
2005236776.tif 000018
【図１７】
2005236776.tif 000019
【図１８】
2005236776.tif 000020
【図１９】
2005236776.tif 000021
【図２０】
2005236776.tif 000022
【図２１】
2005236776.tif 000023
【図２２】
2005236776.tif 000024
【図２３】
2005236776.tif 000025
【図２４】
2005236776.tif 000026
【図２５】
2005236776.tif 000027